(57)【要約】【課題】年間を通じて入手が容易で、しかも見栄えが良く、安価な神事又は仏事供花用榊を提供する。  【解決手段】本考案の神事又は仏事供花用榊１０は、中心部に配置した品質を代表する榊Ａと、その周囲に配置した産地又は品種の異なる榊Ｂとを組み合わせて成り、前記品質を代表する榊Ａの枝葉の葉面１ａと、前記産地又は品種の異なる榊Ｂの枝葉の葉面２ａ同士を団扇状に形よく揃え、それらの軸部１、２を結束バンド３ａ、３ｂで固定したことを特徴とする。【選択図】図３
0003171305.tif 000002
【実用新案登録請求の範囲】
【請求項１】
中心部に配置した品質を代表する榊の枝葉と、その周囲に配置した産地又は品種の異なる複数の榊の枝葉とを組み合わせて成り、
前記品質を代表する榊の枝葉の葉面と、前記産地又は品種の異なる榊の枝葉の葉面とを形良く揃え、それらの軸部を固定したことを特徴とする神事又は仏事供花用榊。
【請求項２】
請求項１記載の神事又は仏事供花用榊において、
中心部に配置する榊の枝葉は、国産のものであり、その周囲に配置する榊の枝葉は、中国産のものであることを特徴とする。
【請求項３】
請求項１記載の神事又は仏事供花用榊において、
中心部または周辺部のいずれかに、斑入り榊の枝葉を配置したことを特徴とする。
【考案の詳細な説明】
【技術分野】
【０００１】
本考案は、神事又は仏事供花用榊に関する。
【背景技術】
【０００２】
古来より、榊は、神前及び仏前を飾る供花木として用いられてきている。すなわち、官公庁や家庭での神事や仏事に年間を通じて一定の消費量があり、そのため植物販売業者によって、榊の木から採取された榊の枝葉が例えば、団扇状に見栄え良く組み合わされて神事又は仏事供花用榊として販売されている。
【０００３】
近年は、市場に安価で、しかも見栄えも国産のものとさほど見劣りがしない中国産のものが出回っている。
【０００４】
しかし、国産の榊は市場流通量が少なく、高価になりつつあるが、神事及び仏事は日本古来の行事であるため、国産榊を材料とする供花用榊の購入を望む顧客が少なくない。
【０００５】
本出願人は、このような供花用榊として、特許文献１において、榊の葉面にオイル及び界面活性剤を含む葉面光沢剤を噴霧することにより根切りした榊を長持ちさせる考案を提案したが、年間を通じて入手が容易で、しかも安価な供花用榊が提供できると、更に顧客ニーズに合致することになる。
【先行技術文献】
【特許文献】
【０００６】
【特許文献１】実用新案登録第３１４０４９９号公報（請求項１、図４）
【考案の概要】
【考案が解決しようとする課題】
【０００７】
そこで、本考案は、このような事情に鑑みてなされたもので、年間を通じて入手が容易で、しかも見栄えが良く、安価な神事又は仏事供花用榊を提供することを目的とする。
【課題を解決するための手段】
【０００８】
上記課題を解決するため、本考案に係る神事及び仏事用榊は、中心部に配置した品質を代表する榊の枝葉と、その周囲に配置した産地又は品種の異なる榊の枝葉とを組み合わせて成り、前記品質を代表する榊の枝葉の葉面と、前記産地又は品種の異なる榊の枝葉の葉面とを形良く揃え、それらの軸部を固定したことを特徴とする。
【０００９】
この場合、上記「品質を代表する榊の枝葉」とは、本考案に係る神事及び仏事供花用榊を植物販売業者が販売するに際し、そのキャッチフレーズとなる品質のことをいう。例えば、供花用榊の材料となる榊の生産国をセールスポイントにするのであれば、「国内産榊」や「中国産榊」であり、榊の品種をセールスポイントにするのであれば、例えば「本榊（ほんさかき）」や「非榊（ひさかき）」を用いても良いし、白い斑（ふ）の入った「斑入り榊」や、斑が何も入っていない「斑無し榊」を用いてもよい。
【００１０】
これらは、供花用榊としての「品質を代表する榊」であるから、当然、販売商品としての品質、コスト面を左右し、かつ代表する。
【００１１】
また、上記「品種の異なる榊の枝葉」とは、榊の枝葉を供花用榊の材料として植物学的に見た場合に、上記品種が異なる他、形、大きさ、葉面の色などが異なる榊の枝葉も含まれるものとする。
【００１２】
このように、一つの供花用榊に対し、材料として産地、品種が異なる複数種類の榊を組み合わせることにより、神事及び仏事供花用榊のコストダウン及びと品質向上を図ることができる。
【００１３】
例えば、供花用榊の材料として、中心部に国産榊を配置し、その周囲に安価な中国産榊を組み合わせ、全体として見栄え良く配置して一つの供花用榊を作った場合は、中国産のものは低コストで、しかも品質面では国産榊と何ら遜色がないから、顧客に供花用榊全体として一定品質のものを低コストで提供できる。
【００１４】
また、品種に関しては、例えば中心部または周辺部のいずれかに、斑入り榊の枝葉を配置して供花用榊とした場合は、「斑（ふ）入り」が「福（ふく）入り」に転じ、いわゆる「招福」に通じて顧客にたいへん喜ばれ、売上げの増大に繋がる。
【００１５】
また、中心部に葉面が大きな品種の榊の枝葉を配置し、周囲に葉面の小さな品種の榊の枝葉を配置することにより、供花用榊として非常に見栄えの良い形状に整えることもできる。
【００１６】
更に、一般に、榊は葉面からの水分の発散速度の違いから、上方の葉から徐々に茶色に変色し始めるが、この場合、比較的長持ちする品種の榊の枝葉を上方に配置することにより、供花用榊として数日間ではあるが、より一層長持ちさせることができ、販売商品の品質向上に寄与できる。
【００１７】
最後に、中心部及び周辺部に配置した複数の榊の軸部を纏めて、ゴム輪、針金等の結束バンドで縛り、全体を透明ビニール袋等に入れて包装する。また、上記産地、品質、生産者等の品質表示をした印刷紙やレッテルを包装紙の適当な位置に貼付する。 
【考案の効果】
【００１８】
請求項１記載の神事又は仏事供花用榊によれば、一つの神事及び仏事用榊に対し、その材料として、産地、品種が異なる複数種類の榊を組み合わせることにより、販売する榊全体のコストダウンと、品質向上を図ることができる。
【００１９】
また、供花用榊の材料として外国産榊を組み合わせると、全てに国産榊を用いる場合に比べて、年間を通じての入手が容易になる。
【００２０】
請求項２記載の神事又は仏事供花用榊は、請求項１記載の神事又は仏事供花用榊において、中心部に国産の榊の枝葉を配置し、その周囲に中国産の榊の枝葉を配置するので、販売する供花用榊全体のコストを、より一層低減することができる。
【００２１】
請求項３記載の神事又は仏事供花用榊は、請求項１記載の神事又は仏事供花用榊において、中心に斑入り榊の枝葉を配置し、その周囲に斑無しの榊の枝葉を配置するので、「斑（ふ）入り」が「福（ふく）入り」に転じ、いわゆる「招福」に通じて顧客にたいへん喜ばれ、売上げの増大に繋がる効果を奏する。
【図面の簡単な説明】
【００２２】
【図１】図１は、本考案の一実施形態に係る神事又は仏事供花用榊の正面図である。
【図２】図２は、図１とは異なる実施形態の神事又は仏事供花用榊の正面図である。
【図３】図３は、図１の神事又は仏事供花用榊を包装した場合の正面図である。
【符号の説明】
【００２３】
１０、２０    神事又は仏事供花用榊（本考案）
１、２、１Ａ、２Ａ    榊の軸部
１ａ、２ａ、４ａ、５ａ    榊の枝葉
４ｂ  斑（ふ）
３Ａ、３Ｂ、３ａ、３ｂ    結束バンド
４    包装紙
５    印刷紙又はレッテル
Ａ、Ｂ    産地が異なる榊の枝葉（本考案に係る供花用榊の材料）    
Ｃ、Ｄ    品種が異なる榊の枝葉（本考案に係る供花用榊の材料）
【考案を実施するための形態】
【００２４】
以下、本考案に係る神事又は仏事供花用榊の実施形態を図面に基づいて説明する。
【実施形態１】
【００２５】
図１は、本考案の一実施形態に係る神事又は仏事供花用榊１０の正面図であり、包装前のものである。
【００２６】
図において、符号Ａは、国産の榊であり、一つの軸１に複数の枝葉１ａ、１ａ・・・が付いているものである。この国産の榊Ａは、神事又は仏事供花用榊１として、葉面が大きく、姿形が整ったものである。
【００２７】
一方、符号Ｂは、例えば中国等の外国産の榊で、国産の榊Ａよりも枝葉２ａ、２ａ・・・面がやや小さいものを、国産の榊Ａの周囲に複数本配置したものである。
【００２８】
国産榊Ａと、外国産榊Ｂの２種類の榊の枝葉１ａ、２ａを組み合わせて外形を団扇状に並べるには、まず、複数本の外国産の榊Ｂの枝葉２ａ、２ａ・・・を平面状になるように配置した後、それらの軸部２、２・・・を輪ゴム、針金等の結束バンド３ａで固定する。
次に、外国産の榊Ｂの枝葉２ａ、２ａ・・・の中心部に、図のように国産の榊Ａを置き、Ａ、Ｂ２種類の枝葉１ａ、２ａの全体が団扇状になるように見栄え良く整えたのち、これらの軸部１、２を纏めて結束バンド３ｂで固定する。
【００２９】
図３に示すように、最後に全体を包装紙４で包装し、包装紙４の左上上部に「産地」、「品質（品種など）」、「生産者」等の品質表示をしたレッテル５を貼付する。
【００３０】
この実施形態１の供花用榊１０によれば、中心部分に国産榊Ａを配置しているので、主要部は国産榊Ａという一定の品質を維持しつつ、周辺の中国産榊Ｂは外観が国産のものに劣らない上、安価であるので、全ての枝葉１ａ、２ａが国産のものに比べて低コストで顧客に提供できるという利点がある。
【実施形態２】
【００３１】
前述の如く、実施形態１は、「産地」が異なる２種類の榊Ａ、Ｂを組み合わせて神事又は仏事供花用榊１０としたものであるが、本実施形態２の供花用榊２０は、植物学的に品種の異なる２種類の榊Ｃ、Ｄを組み合わせたものである。
【００３２】
すなわち、図２は、このような実施形態に係る神事又は仏事供花用榊２０の正面図であり、包装前のものである。
【００３３】
図において、符号Ｃは、榊の枝葉４ａに白い斑点の斑（ふ）４ｂが入っている国産の斑入り榊であり、実施形態１と同様に神事又は仏事供花用榊として葉面が大きく、姿形が整ったものを中心部に配置したものである。
【００３４】
符号Ｄは、榊の枝葉５ａには白い斑（ふ）が入っていない「斑無し榊」であり、例えば中国等の外国産のもので、中心部に配置した前述の国産の斑（ふ）入り榊Ｃよりも葉面がやや小さいものである。
【００３５】
なお、斑（ふ）入り榊Ｃを配置する場所は、本実施形態のように中心部であっても良いし、周辺部であっても良い。
【００３６】
そして、実施形態１と同様手順で、これらＣ、Ｄ２種類の品種の異なる榊の枝の葉面４ａ、５ａを組み合わせて全体が団扇状になるように形良く並べ、これらの軸部１Ａ、２Ａを輪ゴム、針金等の結束バンド３Ａ、３Ｂで順次固定したものである。
【００３７】
この実施形態２の供花用榊２０によれば、中心部に配置した榊Ｃは、白い斑４ｂが入ったものであるので、いわゆる「招福」に通じ、顧客にたいへん喜ばれる。
【００３８】
また、斑入り榊Ｃの周囲に配置した、例えば中国産の斑（ふ）無し榊Ｄは、外観が国産の斑入り榊Ｃに劣らない上、安価でもあるので、実施形態１のものと同様、全てが国産の榊に比べて安価に顧客に提供できるという利点がある。
【００３９】
なお、この実施形態２の場合、中心部の国産の斑（ふ）入り榊Ｃの代わりに「本さかき」用い、周辺部の中国産の斑（ふ）無し榊Ｂの代わりに「ひさかき」を配置してもよい。この場合においても、一般に「ひさかき」は「本さかき」よりも安価であるので、実施形態２と同様に安価に提供できる。
【００４０】
以上の実施形態において、本考案に係る神事又は仏事供花用榊の一例を説明したが、本考案は、上記実施形態のものに限定されず、実用新案登録請求の範囲で示した技術的思想の範囲内で種々の変形例にすることが可能であり、それらの変形例も本考案の範囲に含まれることは勿論である。
【００４１】
例えば、一つの供花用榊において、用途に応じて産地と品種のいずれもが異なる複数の榊の枝葉を組み合わせて、神事又は仏事供花用榊とすることができる。
【図１】
0003171305.tif 000003
【図２】
0003171305.tif 000004
【図３】
0003171305.tif 000005
【手続補正書】
【提出日】平成23年8月24日(2011.8.24)
【手続補正１】
【補正対象書類名】実用新案登録請求の範囲
【補正対象項目名】全文
【補正方法】変更
【補正の内容】
【実用新案登録請求の範囲】
【請求項１】
中心部に配置した品質を代表する榊の枝葉と、その周囲に配置した産地又は品種の異なる複数の榊の枝葉とを組み合わせて成り、
前記品質を代表する榊の枝葉の葉面と、前記産地又は品種の異なる榊の枝葉の葉面とを形良く揃え、それらの軸部を固定したことを特徴とする神事又は仏事供花用榊。
【請求項２】
請求項１記載の神事又は仏事供花用榊において、
中心部に配置する榊の枝葉は、国産のものであり、その周囲に配置する榊の枝葉は、中国産のものであることを特徴とする神事又は仏事供花用榊。
【請求項３】
請求項１記載の神事又は仏事供花用榊において、
中心部または周辺部のいずれかに、斑入り榊の枝葉を配置したことを特徴とする神事又は仏事供花用榊。